(57)【特許請求の範囲】
【請求項１】
画像撮影デバイスとプロセッサとを有する装置における、被写体の画像を撮影する方法であって、
前記画像撮影デバイスと前記被写体とのうち少なくとも１つを互いに動かすことと、
前記動きの間に、前記画像撮影デバイスが、前記被写体のビデオ映像を撮影することと、
前記プロセッサが、撮影した前記ビデオ映像をディスプレイで前記被写体に表示することと、
前記画像撮影デバイスと前記被写体とのうち少なくとも１つが互いに動いているとき、前記プロセッサが、前記画像撮影デバイスに対する前記被写体の向きを判定することと、
前記プロセッサが、前記画像撮影デバイスに対する前記被写体の複数の画定された向きを受け取ることと、
前記プロセッサが、前記被写体が前記画像撮影デバイスに対して前記複数の画定された方向のうち第１の画定された向きに向いていると判定すると、前記ビデオ映像から、前記第１の画定された向きで前記被写体の静止画像を取得することと
前記プロセッサが、撮影された前記静止画像を、前記ディスプレイで前記被写体に表示することと
を含む、方法。
【請求項２】
撮影された前記ビデオ映像は前記被写体の一連の画像を含み、
前記判定することは、
前記被写体の撮影された一連の画像から、前記画像撮影デバイスに対する前記被写体の向きを決定することを含む、
請求項１に記載の方法。
【請求項３】
前記動かすことは、
ｉ）前記被写体のまわりで前記画像撮影デバイスを動かすこと、及び
ｉｉ）前記被写体を前記画像撮影デバイスに対して回転させること
のうちの少なくとも１つを含む、請求項１または２に記載の方法。
【請求項４】
前記画像撮影デバイスに対する前記被写体の前記複数の画定された向きは、前記被写体の中心を通る垂直回転軸を中心に、０度、４５度、９０度、１３５度、１８０度、２２５度、２７０度、および３１５度のうちの少なくとも１つのヨー回転を含む、請求項１ないし３いずれか一項に記載の方法。
【請求項５】
前記プロセッサが、撮影された静止画像と撮影されたビデオ映像とのうち１つ以上を記憶媒体に記憶することをさらに含む、
請求項１ないし４いずれか一項に記載の方法。
【請求項６】
前記静止画像の撮影に続いて、画定された継続時間が経過した後に、
前記プロセッサが、前記被写体が前記画像撮影デバイスに対して第１の画定された向きに向いていると判定すると、前記ビデオ映像から前記第１の画定された向きで前記被写体の第２の静止画像を取得することをさらに含む、
請求項１ないし５いずれか一項に記載の方法。
【請求項７】
前記プロセッサが、前記被写体が前記画像撮影デバイスに対して第１の画定された向きの画定された角度範囲内に向いていると判定すると、前記ビデオ映像から前記被写体の複数の静止画像を取得することと、
前記プロセッサが、前記複数の静止画像から最適画像を選択することと、
前記プロセッサが、前記最適画像をユーザに表示することとをさらに含む、
請求項１ないし６いずれか一項に記載の方法。
【請求項８】
被写体の画像を撮影する装置であって、
前記被写体のビデオ映像を撮影する画像撮影デバイスと、
プロセッサであって、
前記画像撮影デバイスを作動させて、前記画像撮影デバイスと前記被写体とのうち少なくとも１つが互いに動いているとき、前記被写体のビデオ映像を撮影させ、
前記ビデオ映像を前記被写体への表示に供し、
前記画像撮影デバイスと前記被写体とのうち少なくとも１つが互いに動いているとき、前記装置に対する前記被写体の向きを判定し、
前記装置に対する前記被写体の複数の画定された向きの情報を受け取り、
前記被写体が前記画像撮影デバイスに対して複数の画定された向けのうち第１の画定された向きに向いていると判定すると、前記ビデオ映像から、前記第１の画定された向きで前記被写体の静止画像を取得し、
前記取得した静止画像を前記被写体への表示に供するよう
に構成されたプロセッサとを有する、
装置。
【請求項９】
前記被写体の撮影された静止画像及び前記被写体の撮影されたビデオ映像のうち少なくとも１つを表示する表示画面をさらに有する、請求項８に記載の装置。
【請求項１０】
前記被写体の撮影された静止画像及び前記被写体の撮影されたビデオ映像のうち少なくとも１つを記憶する記憶媒体をさらに有する、請求項８または９に記載の装置。
【請求項１１】
プロセッサにより実行されたとき、前記プロセッサに、
画像撮影デバイスと被写体とのうち少なくとも１つが互いに動いているときに、前記画像撮影デバイスを作動させて前記被写体のビデオ映像を撮影させ、
前記ビデオ映像を前記被写体に表示させ、
画像撮影デバイスと被写体のうちの少なくとも１つが他方に対して動いているとき、前記画像撮影デバイスに対する前記被写体の向きを判定させ、
前記画像撮影デバイスに対する前記被写体の複数の画定された向きの情報を受け取らせ、
前記被写体が前記画像撮影デバイスに対して前記複数の画定された向きのうち第１の画定された向きに向いていると判定すると、前記ビデオ映像から、前記第１の画定された向きで前記被写体の静止画像を取得させ、
前記取得された静止画像を前記被写体への表示に供させるコンピュータプログラム。
【発明の詳細な説明】
【技術分野】
【０００１】
本発明は、画像の撮影に関し、より具体的には、被写体がある向きにある場合に、被写体の画像を撮影することに関する。
【背景技術】
【０００２】
人は、鏡を使って、自分の頭部や身体のパーソナルケア活動（ｐｅｒｓｏｎａｌ  ｃａｒｅ  ａｃｔｉｖｉｔｙ）を行うことがある。例えば、人は、ヘアスタイリング、ヘアトリミング、ひげそり、脱毛、化粧、クレンジング、またはスキンケア（モイスチャライジングなど）などの活動を行います。鏡を使用すると、人は、自分自身をよりはっきりと見ることができ、パーソナルケア活動を正確かつ所望の方法で行うことができる。頭部または身体の側面または背面にパーソナルケア活動をしたい場合、またはその他の理由で頭部または身体の側面または背面を見たい場合、第２の鏡を使用してもよい。第２の鏡は、両方の鏡を使用して頭部または身体の側面または背面の反射を見ることができるように配置されてもよい。頭部または身体の所望の部分がはっきりと見えるように、自分自身および鏡を配置することは困難であり得るし、特に第２の鏡を操作しながらパーソナルケア活動を行う場合はそうである。
【０００３】
一例では、ヘアクリッパーを使って、頭の後ろにある髪をトリミングしたい場合がある。後頭部を１つの鏡で見ることはできないので、頭の後ろに第２の鏡を持ち、第１の鏡で反射が見えるようにすることができる。反射をチェックして、意図した毛髪がすべてトリミングされたこと、および毛髪が対称的にトリミングされたことを確認してもよい。
【０００４】
鏡、または上述のような２つの鏡による構成は、衣服を着るときまたは服を試着するときに、身体の側面または背面を見るために使用してもよい。第２の鏡を十分に離さないと、身体の背面や側面を見ることは困難であり得る。
【発明の概要】
【０００５】
頭部または身体の側面または背面をよく見るために、所望の角度から頭部または身体の所望の部分の画像を有することができれば有用であろう。従って、人が容易に見ることができないその人の頭部または身体の一部の画像を撮影する方法が必要とされている。
【０００６】
第１の態様によると、被写体の画像を撮影する方法を提供する。該方法は、画像撮影デバイスと前記被写体とのうち少なくとも１つの相対的に動かすことと、プロセッサを用いて、前記画像撮影デバイスに対する前記被写体の向きをモニタリングすることと、前記被写体が前記画像撮影デバイスに対して画定された向きに向いていると判定すると、前記画像撮影デバイスを用いて、前記画定された向きで前記被写体の画像を撮影することとを含む。
【０００７】
幾つかの実施形態では、前記方法はさらに、前記動きの間に、前記画像撮影デバイスを用いて、前記被写体の一連の画像を撮影することを含んでもよい。
【０００８】
本方法はさらに、撮影された一連の画像をユーザに表示することを含んでもよい。
【０００９】
いくつかの実施形態では、モニタリングすることは、前記被写体の撮影された一連の画像から、前記画像撮影デバイスに対する前記被写体の向きを決定することを含んでもよい。
【００１０】
画定された向きは、複数の画定された向きのうちの１つを含んでもよい。本方法はさらに、前記被写体が前記画定された向きのいずれかに向いていると判定すると、前記画像撮影デバイスを用いて前記画定された向きで前記被写体の画像を撮影することをさらに含んでもよい。
【００１１】
幾つかの実施形態では、前記動かすことは、ｉ）前記被写体のまわりで前記画像撮影デバイスを動かすこと、及びｉｉ）前記被写体を前記画像撮影デバイスに対して回転させることのうちの少なくとも１つを含んでもよい。
【００１２】
被写体は回転軸を有していてもよい。前記画像撮影デバイスに対する前記被写体の前記画定された向きは、前記被写体の中心を通る垂直回転軸を中心に、０度、４５度、９０度、１３５度、１８０度、２２５度、２７０度、および３１５度のうちの少なくとも１つのヨー回転を含んでいてもよい。
【００１３】
幾つかの実施形態では、本方法は、さらに、撮影された画像を記憶媒体に記憶することを含むことができる。この方法はさらに、撮影された画像をユーザに表示することを含んでもよい。
【００１４】
幾つかの実施形態では、該方法は、前記画像の撮影に続いて、画定された継続時間が経過した後に、プロセッサを用いて、前記被写体が前記画像撮影デバイスに対して画定された向きに向いていると判定すると、前記画像撮影デバイスを用いて、前記画定された向きで前記被写体の第２の画像を撮影することをさらに含んでもよい。
【００１５】
本方法はさらに、プロセッサを用いて、前記被写体が前記画像撮影デバイスに対して画定された向きの画定された角度範囲内に向いていると判定すると、前記被写体の複数の画像を撮影することを含んでもよい。前記方法は、前記複数の画像から最適画像を選択することをさらに含む。いくつかの実施形態では、本方法は、ユーザに最適画像を表示することを含んでもよい。
【００１６】
第２の態様によると、被写体の画像を撮影する装置を提供する。本装置は、前記被写体の一連の画像を撮影する画像撮影デバイスと、プロセッサとを有する。プロセッサは、前記装置に対する前記被写体の向きをモニタし、前記被写体が前記装置に対して画定された向きに向いていると判定すると、前記画定された向きで前記被写体の画像を撮影するよう前記画像撮影デバイスを作動させるように構成される。
【００１７】
幾つかの実施形態では、本装置はさらに、前記被写体の撮影された画像及び前記被写体の撮影された一連の画像のうち少なくとも１つをユーザに表示する表示画面をさらに有してもよい。
【００１８】
本装置はさらに、前記被写体の撮影された画像及び前記被写体の撮影された一連の画像のうち少なくとも１つを記憶する記憶媒体をさらに有してもよい。
【００１９】
第３の態様によると、プロセッサにより実行された時に、前記プロセッサに、画像撮影デバイスと被写体のうちの少なくとも１つが他方に対して動いているとき、前記画像撮影デバイスに対する前記被写体の向きをモニタし、前記被写体が前記画像撮影デバイスに対して画定された向きに向いていると判定すると、前記画定された向きで前記被写体の画像を撮影するよう前記画像撮影デバイスを作動させる命令を記憶した機械可読媒体を提供する。
【００２０】
他の有利な特徴は、以下の説明から明らかになる。
【図面の簡単な説明】
【００２１】
本発明をよく理解し、どのように実施するか明りょうに示すため、一例として添付した図面を参照する。
【図１】本発明の実施形態による被写体および装置を示す図である。
【図２】本発明の実施形態による被写体の画像を撮影する方法の一例を示すフローチャートである。
【図３】異なる向きにある被写体の画像を撮影する画像撮影デバイスの一例を示す概略図である。
【図４】異なる向きにある被写体の画像を撮影する画像撮影デバイスのさらに別の一例を示す概略図である。
【図５】本発明の実施形態による被験者の画像を撮影する方法のさらに別の一例を示すフローチャートである。
【図６】被写体の画像を撮影するために使用される画像撮影デバイスを示す図である。
【図７】本発明の実施形態による被験者の画像を撮影する装置の一例を示す概略図である。
【図８】本発明の実施形態による被験者の画像を撮影する装置のさらに別の一例を示す概略図である。
【図９】プロセッサを有する機械可読媒体の一例を示す概略図である。
【発明を実施するための形態】
【００２２】
人の頭部または身体の側面および／または背面の画像を見ることができることは有用であり、特に、パーソナルケア活動を行っている間、または行った後はそうである。本発明は、ユーザが、ともすれば追加の鏡を使用せずに見ることが困難または不可能である得る頭部および／または身体の一部の画像を撮影する便利な方法を提供する。本発明は、多数の分野において有益であり得るが、パーソナルケアの分野において具体的な利点を見出すことができる。例えば、本発明は、メイクアップ、メイクアップ落とし、スキンケア、スキンセンシング（ｓｋｉｎ  ｓｅｎｓｉｎｇ）、ヘアケア、およびシェービング、脱毛およびトリミングのようなヘアリムーバル（ｈａｉｒ  ｒｅｍｏｖａｌ）活動を含むが、これらに限定されない、パーソナルケア活動を実行するときに実施することができる。また、本発明は、衣服の組み合わせを選択し、着替えるときに実施することもできる。例えば、ユーザは、本発明を使用して、それらの服装が背後からどのように見えるかを見ることを可能にすることができる。
【００２３】
一般に、本発明は、被写体の画像を撮影するための方法および装置を提供する。画像は、被写体が画像撮影デバイスに対してある所定の方法で位置決めされおよび／または向き付けられたときに自動的に撮影され得る。換言すれば、画像は、トリガ、信号または任意の事象に応答して、自動的に撮影することができる。
【００２４】
図面を参照すると、図１は、被写体１００および装置１０２を示す。この例では、被写体１００（人）は、装置１０２の一般的な方向に向いて立っている。装置は、カメラ等の少なくとも画像撮影デバイス１０４を含む。画像撮影デバイス１０４は、カメラモジュールのような静止画像（例えば、写真）及びライブ画像ストリーム（例えば、ビデオ）を撮影するのに適した任意の画像撮影デバイスであってもよい。画像撮影デバイス１０４は、それ自体、１つ以上のレンズ及びその他の光学コンポーネントのような様々なコンポーネント、及び電荷結合デバイス（ＣＣＤ）のような画像撮影コンポーネントを含むことができる。画像撮影デバイス１０４内のコンポーネント、及び本発明での使用に適した画像撮影デバイスのタイプは、当業者には明らかであろう。装置１０２は、さらに、画像撮影デバイス１０４によって撮影された画像を処理するためのプロセッサ１０６を含んでもよい。いくつかの実施形態では、装置はさらに、画像撮影デバイス１０４によって撮影される情報および／または画像をユーザに表示するディスプレイ１０８を含むことができる。装置１０２は、以下により詳細に説明する。
【００２５】
人１００は、装置１０２を使用して、例えば、ディスプレイ１０８上または本装置に関連する別のディスプレイ上で、画像撮影デバイス１０４によって撮影された画像を見ることによって、自身のその時の、リアルタイムの画像を表示することができる。人１００は、例えば、自分の頭髪が望み通りにスタイリングされているかどうかをチェックするために、自分の頭髪の後方を見ることを望む場合がある。人１００は、本装置を使用して、図２を参照して以下に説明するように、本発明を実施することができる。
【００２６】
図２は、被写体の画像を撮影する例示的な方法２００を示すフローチャートである。この方法は、ステップ２０２において、画像撮影デバイスおよび被写体のうちの少なくとも一方を互いに相対的に移動させることを含む。換言すれば、画像撮影デバイス１０４などの画像撮影デバイスを動かし、被写体１００を相対的に静止させてもよいし、被写体を動かし、画像撮影デバイス１０４を相対的に静止させてもよいし、画像撮影デバイス１０４と被写体１００との両方を互いに相対的に動かしてもよい。従って、本発明のいくつかの実施形態によれば、人１００が画像撮影デバイス１０４に対して回転してもよく、画像撮影デバイスが人の周りを動いてもよく、または画像撮影デバイスが、人が回転する時に、その人の周囲を動いてもよい。これらの様々なオプションを図３および図４に示す。
【００２７】
図３は、人１００が、画像撮影デバイス１０４に対して様々な回転向きで立っているところを概略的に示す。この例では、画像撮影デバイス１０４は、人１００に対して固定位置に固定されてもよい。例えば、画像撮影デバイス１０４は、壁などの表面に固定されてもよく、または棚などの表面に置かれてもよい。図３ａでは、人１００は、画像撮影デバイスに対するその人の回転角度がゼロ度（０°）とみなされるように、画像撮影デバイス１０４に直接対向して示されている。図３ｂにおいて、人１００は、（その人が立っているポイント付近、またはその人の中心を通る垂直軸の周りに）右に９０度回転している。画像撮影デバイス１０４は、画像撮影デバイスがその人の左耳に向くように、図３ａと同じ位置と向きにある。図３ｃにおいて、人１００は、右にさらに９０度回転し、その人が画像撮影デバイス１０４とは反対の向きである。画像撮影デバイス１０４は、図３ａおよび図３ｂと同じ位置と向きにあり、画像撮影デバイスがその人の頭部の後に向いている。図３ｄでは、人１００は、さらに右に９０度回転した。画像撮影デバイス１０４は、図３ａ、３ｂおよび３ｃと同じ位置と向きにあり、画像撮影デバイスがその人の右耳に向くようになっている。人１００が回転を続け、図３ａのように、画像撮影デバイス１０４に向いている場合、その人は３６０度回転したことになる。人１００の回転中、画像撮影デバイス１０４の視野は、その人の全回転角度を含む。
【００２８】
図４は、画像撮影デバイス１０４の視野が、人１００の全回転角度を含むことを可能にする代替的な方法を示す。図４において、人が比較的静止したままである（すなわち、人が回転しない）ときに、画像撮影デバイス１０４が人１００の周囲を移動する。画像撮影デバイス１０４が図４においてＡとマークされた位置にある場合、人１００は、画像撮影デバイスに直接向き合い、画像撮影デバイスに対するその人の回転角度がゼロ度（０°）とみなすことができる。画像撮影デバイス１０４は、人１００の周りを移動する際に、ＢないしＨとマークされた位置を通過する。ここで、位置Ｂは約４５度の角度を通る動きを表し、Ｃは約９０度の角度を通る動きを表し、Ｄは約１３５度の角度を通る動きを表し、Ｅは約１８０度の角度を通る動きを表し、Ｆは約２２５度の角度を通る動きを表し、Ｇは約２７０度の角度を通る動きを表し、Ｈは約３１５度の角度を通る動きを表す。図３に示される構成と同様に、画像撮影デバイス１０４の視野は、そのデバイスがその人の周囲を動くときに、その人１００の全回転角度を含む。
【００２９】
（図４に示すように）人１００のまわりの画像撮影デバイス１０４の動きは、様々な方法で達成することができる。いくつかの実施形態では、画像撮影デバイス１０４は、それを人１００の周囲で動かすように構成されたメカニズムに取り付けることができる。例えば、画像撮影デバイス１０４は、人１００を囲む（または、使用中に被写体がいるべき位置を囲む）フレームに取り付けることができる。画像撮影デバイス１０４は、トラック上に取り付けられ、画像撮影デバイスがそのトラック上のフレームの周囲を動くときに、それが図４に示す位置Ａ〜Ｈの各々を通過するようにしてもよい。他の実施形態では、人（すなわち、撮影される人）または他の人またはアシスタントが、画像撮影デバイス１０４を保持し、図４に示す位置Ａ〜Ｈを通過して、画像撮影デバイスがほぼ円形に動くように、画像撮影される人の周囲を動かしてもよい。当然のことながら、言うまでもなく、画像撮影デバイス１０４が人１００に対して相対的に動くにつれて、人の画像を撮影するために、画像撮影デバイスのレンズが実質的に人に向けられなければならない。
【００３０】
再び図２を参照して、方法２００はさらに、ステップ２０４において、被写体（例えば、人１００）の画像撮影デバイス１０４に対する向きをモニタリングすることを含む。換言すれば、画像撮影デバイスに対する被写体の向きは、動く間に少なくとも１回は決定され得る（ステップ２０２）。モニタリングは、装置１０２内の、装置１０２に接続された、または装置１０２に関連したプロセッサなどの処理回路によって実行することができる。被写体（例えば、人１００）の画像撮影デバイス１０４に対する向きをモニタリングすることによって、被写体が、図３および図４に示すように、画像撮影デバイス１０４に対する向きのうちの１つまたは複数の向きに向いているかどうかを決定することができる。方法２００はさらに、ステップ２０６に、画像を取り込むステップをさらに含む。具体的には、本方法は、被写体が画像撮影デバイス１０４に対して画定された向きに向いていると判断すると、画像撮影デバイスを使用して、画定された向きで被写体の画像を撮影することを含む。
【００３１】
被写体１００の向きをモニタリングするステップ（ステップ２０４）では、以下に説明する種々の技術のうちの１つを用いて達成され得る。
【００３２】
画像撮影デバイス１０４に対する被写体１００の向きをモニタリングする１つの方法は、被写体の向きを決定するために、被写体上のランドマークを検出するランドマーク検出技術を使用することである。例えば、顔追跡システムでは、画像撮影デバイス１０４の視野内にあるときに、目、眉、鼻、口、または顎などの顔の特徴、または顔の特徴の一部の点を検出してもよい。顔の特徴に関連する点は、ランドマークとして知られている。ランドマークの位置は、同じ視野内の他のランドマークに対しても決定され得る。いくつかの実施形態において、ランドマークの決定された位置に信頼レベルが関連付けられてもよい。あるランドマークの決定された位置の信頼レベルは、その位置が他のより多くのランドマークに対して決定される場合に増加する可能性がある。いくつかの実施形態において、上に列挙された顔の特徴は、それらの特徴が大多数の人の被写体において存在し検出可能であるという点で、「主要な」顔の特徴であると考えられ得る。他の「二次的な」顔の特徴も検出され得る。二次的な顔の特徴には、耳、髪の毛の線、首、ほくろのような皮膚病変、または傷跡の点、または少なくともその一部が含まれる。もちろん、顔のランドマーク検出を用いて人の頭部を追跡することができるが、他のランドマークを検出可能であり、それを用いて人体の向きを決定できる。例えば、身体上のランドマークは、肩、腕、手、指または親指、胴体、脚、膝、足首または足の上の点、または少なくともその一部を含み得る。
【００３３】
ランドマーク検出技術を使用して、プロセッサは、あるランドマークまたはランドマークの組み合わせが画像撮影デバイス１０４の視野内に現れたときを検出することができる。いくつかの実施形態において、データベースまたはルックアップテーブルを用いて、検出されたランドマークまたはランドマークの組み合わせに基づいて、被写体１００の向きを決定することができる。例えば、２つの目、鼻、口、および２つの耳の一部が、画像撮影デバイス１０４の視野内で可視である場合、被写体１００が画像撮影デバイスに面している（すなわち、相対的な向きが図３ａに示されるようなものであるか、または画像撮影デバイスが図４の位置Ａにある）と判断してもよい。２つの耳の部分が画像撮影デバイス１０４の視野内にあるが、眼、鼻または口が検出されない場合、被写体が、画像撮影デバイスの視野内で向こうを向いている（すなわち、相対的な向きが図３ｃに示されるようになるか、または画像撮影デバイスが図４のＥの位置にある）と判断してもよい。一側の耳が画像撮影デバイス１０４の視野内に見える場合、被写体１００は、画像撮影デバイスに対して横向きである（すなわち、相対的な向きが図３ｂに示すように、９０度回転、または図３ｄに示すように、２７０度回転、または画像撮影デバイスが図４の位置ＣまたはＧの１つにある）と判断されてもよい。他の特徴の組み合わせが視野内で可視である場合、被写体１００は、画像撮影デバイス１０４に対して他の何らかの向きであり、画像撮影デバイスが図４の位置Ｂ、Ｄ、Ｆ、またはＨにあるときの相対的な向きなどであると判断してもよい。
【００３４】
画像撮影デバイス１０４に対する被写体１００の向きをモニタリングする別の方法は、画像撮影デバイス１０４の視野内の被写体の部分の相対幅を決定することである。例えば、被写体１００の頭部の幅が、被写体および／または画像撮影デバイスの動きの間に、ある向きにおいて最小になる場合、頭部が、画像撮影デバイスに直接向いているか、または、画像撮影デバイスとは反対に向いていると判断されてもよい。しかし、被写体１００の頭部の幅が、被写体および／または画像撮影デバイスの動きの間に、ある向きにおいて最大となる場合、頭部が画像撮影デバイスに対して横向きであると判断されてもよい。この技術は、ランドマーク検出技術などの１つ以上の他の技術と組み合わせて使用して、被写体が、画像撮影デバイスに向いているか、画像撮影デバイスとは反対に向いているか、画像撮影デバイスに対して左側もしくは右側に向いているか、またはその他の何らかの向きに向いているかを決定してもよい。
【００３５】
いくつかの実施形態では、画像撮影デバイス１０４を含む装置１０２は、画像撮影デバイスが複数の向きから被写体の較正画像を撮影することを可能にすることによって較正されてもよい。較正画像は、装置に関連付けられた記憶媒体に記憶され、使用中に撮影された画像と比較され得る。撮影された画像の較正画像との比較（単独で、または１つ以上の他の技術と組み合わせて）によって、プロセッサは、被写体の向きを決定することができる。
【００３６】
被写体１００が画像撮影デバイス１０４に対して画定された向きに向いているとプロセッサが判断した場合、その画定された向きの被写体の画像が画像撮影デバイスによって撮影される。画定された向きは、あらかじめプログラムされていてもよく、またはユーザによって選択されてもよい。いくつかの実施形態では、画定された向きは、複数の画定された向きのうちの１つを含む。例えば、画定された向きは、図３および図４に示される向きの１つ以上を含んでもよい。被写体が所定の向きのいずれかに向いていると判断されると、画定された向きの被写体の画像が画像撮影デバイス１０４を使用して撮影され得る。従って、画定された向きが図４のラベルＡからＨによって示される向きを含む場合、画像撮影デバイス１０４が各位置に移動されると、画定された向きが認識され、被写体１００の画像が自動的に撮影される。被写体１００に対し画像撮影デバイスが完全に一回転すると、画像撮影デバイス１０４は、８つの画像を撮影している。
【００３７】
いくつかの実施形態では、画像撮影デバイス１０４は、前記動き中の被写体の画像のシリーズまたはストリームを撮影するように構成されてもよい。言い換えると、被写体１００および／または画像撮影デバイス１０４が互いに対して動くと、画像撮影デバイスは、被写体のビデオ映像（ｖｉｄｅｏ  ｆｏｏｔａｇｅ）を撮影する。幾つかの実施形態では、撮影された被写体のビデオ映像は、ユーザ（例えば、被写体１００）に表示されてもよい。いくつかの実施形態では、撮影されたビデオ映像は、装置１０２に関連付けられた記憶媒体に記憶されてもよい。その後、記憶されたビデオ映像は後で見ることができる。
【００３８】
上述の実施形態では、画像撮影デバイスに対する被写体の向きは、画像撮影デバイスおよび／または被写体が互いに対して動くときに、リアルタイムでモニタされる。しかし、他の実施形態では、被写体の向きは、撮影されたビデオ映像を用いてモニタされてもよい。例えば、装置に関連するプロセッサは、撮影されたビデオ映像を分析することができ、被写体が、ビデオ映像のあるフレーム内の（ビデオ映像が撮影されたときの画像撮影デバイスに対して）画定された向きに向いていると判定すると、そのフレームを静止画像として撮影することができる。撮影された画像は、ユーザに表示され、および／または記憶媒体に記憶されてもよい。
【００３９】
これまで、被写体１００の中心を通る垂直軸を中心とするヨー回転（ｙａｗ  ｒｏｔａｔｉｏｎ）に関して、被写体の画像撮影デバイスに対する向きを説明した。被写体はまた、ピッチ（ｐｉｔｃｈ）回転（すなわち、上下に傾く回転）および／またはロール（ｒｏｌｌ）回転（すなわち、左または右に傾く回転）により動くことができる。被写体１００のピッチおよびロールは、動き（ステップ２０２）および画像撮影を通して実質的に一定である（すなわち、被写体が上下左右に傾斜しない）ことが望ましいが、装置は、そのような付加的な動きを検出してもよい。いくつかの実施形態では、特に、検出されたピッチおよび／またはロールの回転の大きさが比較的小さい場合、プロセッサは、そのような回転を無視して、被写体がそのヨー回転に関して画定された向きに向いたときに、画像撮影デバイスに画像を撮影させることができる。いくつかの実施形態では、ピッチおよび／またはロールの回転量が大きい場合、いくつかのランドマークは、画像撮影デバイスの視野内で可視でなくてもよく、従って、被写体の向きを決定することができない可能性がある。このような場合、装置は、（例えば、聴覚的又は視覚的表示を用いて）使用者に、被写体の向きが、向きを決定することができないようなものであることを示すことができる。
【００４０】
上述のように、画像を撮影すべき画定された向きは、ユーザによって選択され得る。あるいは、画定された向きは、装置内に予めプログラムされてもよい。いくつかの実施形態では、画像撮影デバイスに対する被写体の画定された向きは、被写体の中心を通る垂直回転軸を中心に、０度、４５度、９０度、１３５度、１８０度、２２５度、２７０度、および３１５度のうちの少なくとも１つのヨー回転を含む。他の実施形態では、他の回転角を用いてもよい。
【００４１】
図５は、被写体の画像を撮影する方法５００の一例を示すフローチャートである。方法５００は、上述の方法２００のステップ２０２、２０４、および２０６を含み、本発明のいくつかの実施形態において実施され得る追加のステップを含む。画像撮影デバイス１０４に対する被写体１００の１つ以上の画定された向きでの１つ以上の画像の撮影（ステップ２０６）に続いて、本方法５００は、ステップ５０２において、撮影された１つまたは複数の画像を記憶媒体に記憶することを含むことができる。いくつかの実施形態では、方法５００は、ステップ５０４において、ユーザ（例えば、被写体１００）に撮影画像を表示するステップをさらに含んでもよい。複数の画像がキャプチャされる場合、キャプチャされた画像のうちの１つ以上が、記憶および／またはユーザに表示されてもよい。
【００４２】
ステップ２０６で画像が撮影された後（またはステップ５０２および５０４で画像が記憶および／または表示された後）、装置１０２に関連するプロセッサは、被写体のさらに別の画像が同じ向きで撮影できる前に、画定された継続時間を経過させる。幾つかの実施形態では、前記画像の撮影（ステップ２０６）に続いて、画定された継続時間が経過した後に、方法５００は、（ステップ５０６）プロセッサを用いて、前記被写体が前記画像撮影デバイスに対して画定された向きに向いていると判定すると、前記画像撮影デバイスを用いて、前記画定された向きで前記被写体の第２の画像を撮影することをさらに含んでもよい。例えば、被写体の背面の第１の画像が（例えば、被写体の背面の画像）が撮影された場合、画定された継続時間が経過する前に、画像撮影デバイスは、例えば、１０秒のように、画定された継続時間の満了後まで、同じ向きの被写体のさらに別の画像を撮影しない。画定された継続時間が経過した場合、被写体が再び同じ相対向き（画像撮影デバイスが被写体の背面を向くような向き）にあると判定された場合、その向きにおける被写体のさらに別の画像が撮影される。これにより、ユーザは、例えば、パーソナルケア活動が実行されたことに起因する変化を含み得る、更新されたバージョンの画像を見ることができる。より古い画像（すなわち、以前の画像撮影時において撮影された画像）は、それらを後で見ることができるように、記憶媒体中に記憶されてもよい。
【００４３】
いくつかの実施形態では、画像撮影デバイス１０４は、画定された向きとわずかに異なる向きで、被写体１００の画像を撮影することができる。例えば、被写体が、画定された向きの画定された角度範囲内を向いていると判定されたとき、画像を撮影してもよい。したがって、本方法５００はさらに、ステップ５０８において、プロセッサを用いて、被写体１００が画像撮影デバイス１０２に対して画定された向きの画定された角度範囲内に向いていると判定すると、被写体の複数の画像を撮影することを含んでもよい。本方法５００はさらに、ステップ５１０において、複数の画像から最適画像を選択することを含んでいてもよい。例えば、画像撮影デバイスは、画定された向きのいずれかの側の５度の角度範囲内に向いている間に、１０枚の画像を撮影するように構成されてもよい。キャプチャされた画像の中には、他の画像よりも良好な品質の（例えば、ぼけが少ない）ものもあり得る。画像は、少なくとも１つの基準に基づいて最適であるとみなされてもよい。例えば、いくつかの実施形態では、被写体が、画定された向きに最も近いときに撮影される画像を最適な画像であるとみなしてもよい。他の実施形態では、複数の画像のうち最も明瞭でおよび／または最もシャープな画像を最適な画像であるとみなしてもよい。いくつかの実施形態において、最適画像は、基準の組み合わせに基づいて選択され得る。最適画像として選択された画像は、記憶媒体に記憶され（ステップ５０２）、および／またはユーザに表示されてもよい（ステップ５０４）。
【００４４】
言うまでもなく、各画像が、（例えば、各画像撮影の間、画像撮影デバイスが水平向きに保持され）被写体に対して同じ向きで画像撮影デバイスによって撮影される場合、画像撮影デバイス１０４に対する被写体１００の向きは、より容易に決定され得る。しかし、実際には、画像が撮影されるときに、画像が、以前に撮影された画像の向きとは異なる向きであるように、画像撮影デバイスを、動きの間に傾けてもよい（ステップ２０２）。このようなシナリオを図６に示す。図６では、被写体１００は、画像撮影デバイス１０４を有する装置１０２を保持している。図示の実施形態では、被写体１００は、図４に示すものと同様の方法で画像撮影デバイス１０４を作動させており、すなわち、すべての画定された向きで画像を撮影するため、画像撮影デバイスを被写体（この場合は、被写体の頭部）の周囲で動かす。図６に示すように、装置１０２が被写体１００の背後の位置に動かされると、装置１０２は水平または垂直には向いていない。従って、被写体の背面で撮影された画像は、縦向きまたは横向きではない場合がある。装置１０２に関連するプロセッサは、いくつかの実施形態では、連続的に撮影される画像間の画像撮影デバイス１０４の向きにおける任意の変化を補償または補正することができる。例えば、いくつかの実施形態では、プロセッサは、装置１０２に関連する加速度計などを使用して、画像を撮影する際の装置の向きを決定してもよい。次いで、装置の決定された向きは、装置１０２および画像撮影デバイス１０４に対する被写体の相対的向きを決定するために使用され得る。いくつかの実施形態において、プロセッサは、撮影された画像において検出されたランドマークを使用して、装置１０２に対する被写体の向きを決定してもよい。例えば、撮影された画像内のランドマークから、被写体が右に３０度傾いている（すなわち、ロール＝３０度）と判定された場合、プロセッサは、画像を左に回転させることによって画像を補正することができる。このようにして、ユーザは、画像撮影デバイス１０４を特定の向きに向けて保持する必要なく、画像撮影デバイス１０４をその頭部の周囲で動かすことができる。したがって、動かすこと（ステップ２０２）は、特殊な装置を必要とせずに、ユーザによって容易に実行され得る。
【００４５】
これまで、被写体の画像を撮影する方法に関して、発明を説明した。被写体の画像を撮影するために使用される装置１０２を、上で簡単に説明した。装置１０２は、本発明の別の態様を構成するが、図７に概略的に示した。装置１０２は、被写体の一連の画像を撮影する画像撮影デバイス１０４と、プロセッサ１０６とを有する。プロセッサ１０６は、装置に対する被写体の向きをモニタし、被写体が装置に対して画定された向きに向いていると判定すると、画定された向きで被写体の画像を撮影するよう画像撮影デバイスを作動させるように構成される。いくつかの実施形態では、装置１０２は、複数の画像撮影デバイス１０４を含んでもよい。各画像撮影デバイスは、別個のプロセッサに接続されてもよい。代替的に、全ての画像撮影デバイスは、１つ以上のプロセッサに接続することができる。
【００４６】
装置１０２は、画像を撮影できるカメラのような要素と、プロセッサとを有する任意の計算装置であってもよい。例えば、いくつかの実施形態では、装置１０２は、スマートフォン、タブレットコンピュータ、ラップトップコンピュータ、（処理能力または関連するプロセッサを備える）デジタルカメラ、スマートウォッチ、スマートグラス、またはスマートミラーを含んでもよい。
【００４７】
図８は、被写体の画像を撮影する装置８００のさらに別の例を示す概略図である。装置８００は、図７に示すように、画像撮影デバイス１０４およびプロセッサ１０６を有する。また、装置８００は、被写体の撮影画像および被写体の撮影された一連の画像のうちの少なくとも１つをユーザに表示する表示スクリーン８０２を備えていてもよい。表示スクリーン８０２は、図１に示すディスプレイ１０８と同様であってもよい。表示スクリーン８０２は、ユーザ入力を受信するタッチ入力インターフェースとして機能することができるタッチスクリーンディスプレイであってもよい。いくつかの実施形態では、装置８００は、被写体の撮影された画像および被写体の撮影された一連の画像のうちの少なくとも１つを記憶する記憶媒体８０４をさらに有してもよい。記憶媒体８０４は、装置８００内の機械可読媒体またはメモリユニットを含んでいてもよく、また他のデータを記憶するように構成されてもよい。例えば、記憶媒体８０４は、プロセッサ１０６によって実行可能な命令を記憶するように構成することができる。
【００４８】
本発明のさらに別の態様は、機械可読媒体に関する。図９は、プロセッサ９０４を有する機械可読媒体９０２の一例を概略的に示す。機械可読媒体９０２は、プロセッサ９０４によって実行されると、プロセッサに、画像撮影デバイスと被写体のうちの少なくとも１つが他方に対して動いているとき、画像撮影デバイス１０４に対する被写体１００の向きをモニタし、被写体が画像撮影デバイスに対して画定された向きに向いていると判定すると、画定された向きで被写体の画像を撮影するよう画像撮影デバイスを作動させる命令を有しても良い。プロセッサ９０４は、上述のプロセッサ１０６と同様であってもよい。機械可読媒体９０２は、上述の記憶媒体８０４と同様であってもよい。機械可読媒体９０２およびプロセッサ９０４の両方は、装置１０２などの装置内に実装することができる。
【００４９】
請求項に記載した発明を実施する際、図面、本開示、及び添付した特許請求の範囲を研究して、開示した実施形態のバリエーションを、当業者は理解して実施することができるであろう。請求項において、「有する（ｃｏｍｐｒｉｓｉｎｇ）」という用語は他の要素やステップを排除するものではなく、「１つの（「ａ」又は「ａｎ」）」という表現は複数ある場合を排除するものではない。単一のプロセッサまたはその他のアイテムが請求項に記載した複数の部の機能を満たすこともできる。相異なる従属クレームに手段が記載されているからといって、その手段を組み合わせて有利に使用することができないということではない。請求項に含まれる参照符号は、その請求項の範囲を限定するものと解してはならない。
【図１】
0006761548.tif 000002
【図２】
0006761548.tif 000003
【図３（ａ）】
0006761548.tif 000004
【図３（ｂ）】
0006761548.tif 000005
【図３（ｃ）】
0006761548.tif 000006
【図３（ｄ）】
0006761548.tif 000007
【図４】
0006761548.tif 000008
【図５】
0006761548.tif 000009
【図６】
0006761548.tif 000010
【図７】
0006761548.tif 000011
【図８】
0006761548.tif 000012
【図９】
0006761548.tif 000013